(57)【要約】【課題】撮影のコマ速を上げることができるカメラの絞り制御装置およびカメラを提供する。【解決手段】リセット時に、絞りブレーキバネ４２３の一端４２３ａをエンコーダスリット板４４２のブレーキ軸部４４２ａに当接させて、エンコーダスリット板４４２を制動するように構成した。これにより、絞り制御レバー４０２が絞り開放位置で停止する際の、増速ギヤ４４１や絞り制御レバー４０２のバウンドを抑制できるので、撮影のコマ速を上げることができる。また、レリーズ動作の開始直後までエンコーダスリット板４４２が制動され続けるように構成したので、上述したバウンドを確実に抑制して連写時の撮影レンズ２の絞りの制御精度を向上できる。【選択図】図２
2009198861.tif 000002
【特許請求の範囲】
【請求項１】
レリーズ動作が開始されると、レンズ絞りを初期値に設定する初期位置から前記レンズ絞りを制御値に設定する制御位置へ変化させる絞り連動手段と、
前記絞り連動手段を前記制御位置で停止させる絞り停止手段と、
前記絞り連動手段を前記初期位置に復帰させる絞り復帰手段と、
前記絞り復帰手段により前記絞り連動手段を前記初期位置に復帰させる過程において、復帰動作開始後、前記初期位置へ復帰する直前から前記絞り連動手段の復帰動作に制限を加え、前記レリーズ動作の開始後に前記制限を解除する制限手段とを備えることを特徴とするカメラの絞り制御装置。
【請求項２】
請求項１に記載のカメラの絞り制御装置において、
前記制限手段は、前記レリーズ動作の開始後、前記絞り連動手段が前記レンズ絞りを前記初期位置から前記制御位置へ変化させ始める前に前記制限を解除することを特徴とするカメラの絞り制御装置。
【請求項３】
請求項１または請求項２に記載のカメラの絞り制御装置において、
前記制限手段は、前記絞り復帰手段の復帰動作開始後、前記絞り連動手段が初期位置へ復帰する直前までは前記絞り連動手段の復帰動作に制限を加えないことを特徴とするカメラの絞り制御装置。
【請求項４】
請求項１〜３のいずれか一項に記載のカメラの絞り制御装置において、
前記絞り連動手段は、ギヤ列を含み、
前記制限手段は、前記ギヤ列の少なくとも１つのギヤの回転軸に対して負荷を加えることを特徴とするカメラの絞り制御装置。
【請求項５】
請求項４に記載のカメラの絞り制御装置において、
前記制限手段は、前記ギヤ列の少なくとも１つのギヤの回転軸に対してラジアル方向から負荷を加える線バネを備えることを特徴とするカメラの絞り制御装置。
【請求項６】
請求項４または５に記載のカメラの絞り制御装置において、
前記制限手段は、前記ギヤ列の最も回転数が高くなるギヤの回転軸に対して負荷を加えることを特徴とするカメラの絞り制御装置。
【請求項７】
請求項４〜６のいずれか一項に記載のカメラの絞り制御装置において、
前記制限手段は、前記ギヤ列を構成するギヤのバックラッシに起因する前記ギヤ列の回転方向の遊びが、前記絞り連動手段が前記レンズ絞りを前記制御位置に制御する際の制御精度に悪影響を与えないように、前記制限を解除する際に、前記ギヤ列の回転方向に力を加えることを特徴とするカメラの絞り制御装置。
【請求項８】
請求項１〜７のいずれかの項に記載のカメラの絞り制御装置において、
前記絞り復帰手段を駆動する動力源により前記制限手段をも駆動することを特徴とするカメラの絞り制御装置。
【請求項９】
請求項１〜８のいずれか一項に記載の絞り制御装置を備えることを特徴するカメラ。
【発明の詳細な説明】
【技術分野】
【０００１】
本発明は、レンズ絞りを駆動するカメラの絞り制御装置に関する。
【背景技術】
【０００２】
カメラ等に使用される絞り制御装置では、レンズに設けられた絞りを駆動するカメラ側の絞り駆動レバーの駆動量をギヤ列により増速・拡大し、ギヤの回転数としてフォトカプラ等により検出する。そしてこの検出値が所定の値となったとき、ギヤ列に対して制動をかけて当該ギヤ列とギヤ列に連動している絞り駆動レバーを停止させることで所望の絞り値を得る。この絞り制御装置では、増速されたギヤ列の慣性モーメントのため、撮影終了後の絞りの開放側復帰時、ギヤ列に連動している絞り駆動レバーが絞り駆動レバーを開放側で制限する部材と衝突して、当該当接部との間でバウンドが発生する。この問題を解決するために、ギヤ列の少なくとも１つのギヤに制動力を付与する制限部材を設けている（特許文献１参照）。
【０００３】
【特許文献１】特開平９−１３３９５３号公報
【発明の開示】
【発明が解決しようとする課題】
【０００４】
しかしながらこの方式では、ギヤの回転を常に制動するため、撮影のコマ速をある程度以上には上げられなかった。
【課題を解決するための手段】
【０００５】
（１）  請求項１の発明によるカメラの絞り制御装置は、レリーズ動作が開始されると、レンズ絞りを初期値に設定する初期位置からレンズ絞りを制御値に設定する制御位置へ変化させる絞り連動手段と、絞り連動手段を制御位置で停止させる絞り停止手段と、絞り連動手段を初期位置に復帰させる絞り復帰手段と、絞り復帰手段により絞り連動手段を初期位置に復帰させる過程において、復帰動作開始後、初期位置へ復帰する直前から絞り連動手段の復帰動作に制限を加え、レリーズ動作の開始後に制限を解除する制限手段とを備えることを特徴とする。
（２）  請求項２の発明は、請求項１に記載のカメラの絞り制御装置において、制限手段は、レリーズ動作の開始後、絞り連動手段がレンズ絞りを初期位置から制御位置へ変化させ始める前に制限を解除することを特徴とする。
（３）  請求項３の発明は、請求項１または請求項２に記載のカメラの絞り制御装置において、制限手段は、絞り復帰手段の復帰動作開始後、絞り連動手段が初期位置へ復帰する直前までは絞り連動手段の復帰動作に制限を加えないことを特徴とする。
（４）  請求項４の発明は、請求項１〜３のいずれか一項に記載のカメラの絞り制御装置において、絞り連動手段は、ギヤ列を含み、制限手段は、ギヤ列の少なくとも１つのギヤの回転軸に対して負荷を加えることを特徴とする。
（５）  請求項５の発明は、請求項４に記載のカメラの絞り制御装置において、制限手段は、ギヤ列の少なくとも１つのギヤの回転軸に対してラジアル方向から負荷を加える線バネを備えることを特徴とする。
（６）  請求項６の発明は、請求項４または５に記載のカメラの絞り制御装置において、制限手段は、ギヤ列の最も回転数が高くなるギヤの回転軸に対して負荷を加えることを特徴とする。
（７）  請求項７の発明は、請求項４〜６のいずれか一項に記載のカメラの絞り制御装置において、制限手段は、ギヤ列を構成するギヤのバックラッシに起因するギヤ列の回転方向の遊びが、絞り連動手段がレンズ絞りを制御位置に制御する際の制御精度に悪影響を与えないように、制限を解除する際に、ギヤ列の回転方向に力を加えることを特徴とする。
（８）  請求項８の発明は、請求項１〜７のいずれかの項に記載のカメラの絞り制御装置において、絞り復帰手段を駆動する動力源により制限手段をも駆動することを特徴とする。
（９）  請求項９の発明によるカメラは、請求項１〜８のいずれか一項に記載の絞り制御装置を備えることを特徴する。
【発明の効果】
【０００６】
本発明によれば、撮影のコマ速を上げることができる。
【発明を実施するための最良の形態】
【０００７】
図１〜３１を参照して、本発明による絞り制御装置およびカメラの一実施の形態を説明する。図１は、本発明による絞り制御装置を適用した電子カメラである、一眼レフタイプのカメラボディ１と、カメラボディ１に装着する撮影レンズ２を示した斜視図である。カメラボディ１にはレリーズボタン４と、撮像素子であるＣＣＤ５と、カメラボディ１の各部を制御する制御回路１０１と、絞り機構４００とが設けられている。３０１は、撮影レンズ２からの被写体像をＣＣＤ５に導くための撮影光路であり、３２１は、メインミラーである。
【０００８】
カメラボディ１に撮影レンズ２を装着すると、レンズ側絞りレバー３とカメラ側の絞り制御レバー４０２の当接部４０２ｂとが当接する。レンズ側絞りレバー３は、カメラ側の絞りレバー（以下、単に絞り制御レバーと呼ぶ）４０２により駆動されて所定の絞り値に制御される。なお、本実施の形態では、撮影レンズ２が取り付けられるカメラボディ１の正面側を前方とし、ＣＣＤ５が設けられるカメラボディ１の背面側を後方とする。また、カメラボディ１の上下左右方向を図１に記載したように規定する。
【０００９】
−−−絞り機構４００−−−
絞り機構４００は、撮影レンズ２の絞りを制御する絞り制御装置である。図２は、カメラボディ１に組み込まれる絞り機構４００の主要な構成要素のみを示す分解図であり、レリーズ動作開始前の状態（絞り開放状態）を示している。図３は、絞り開放状態における、絞り機構４００の主要な構成要素の斜視図であり、レンズ側絞りレバー３を駆動するための機構（絞り駆動機構）と、絞り値を検出して所定の絞り値に設定するための機構（絞り値検出・設定機構）を分離した図である。図４は、絞り開放状態における、絞り機構４００の主要な構成要素をカメラボディ１の左側から見た図であり、図４（ａ）は絞り駆動機構を示し、図４（ｂ）は絞り値検出・設定機構を示す。
【００１０】
図５〜８は、説明のために絞り機構４００を構成する部材の一部を太線で強調して表示した図であり、図５〜７は、絞り駆動機構についての図であり、図８は、絞り値検出・設定機構についての図である。なお、図２以降の各図における前後方向および上下左右方向は、絞り機構４００がカメラボディ１に組み込まれているものとして、カメラボディ１の前後方向および上下左右方向と一致するように規定している。
【００１１】
絞り機構４００は、基板４０１と、絞り制御レバー４０２と、絞り開放保持レバー４０３と、絞り開放保持レバー係止レバー４０４と、絞りマグネットレバー４０５と、絞りマグネットレバー駆動レバー４０６と、絞りマグネット４３４と、絞りブレーキチャージレバー４１１と、絞りブレーキレバー４２１とを備えている。また、絞り機構４００は、増速ギヤ４４１と、エンコーダスリット板４４２と、ラチェットギヤ４４３と、フォトインタラプタ４４４と、絞り係止レバー４４５と、絞り制御マグネット４４６とを備えている。基板４０１は、絞り機構４００の各構成要素が取り付けられる板状の部材である。絞り制御レバー４０２は、基板４０１に設けられたボス４０１ａを中心に回動可能に軸支されたレバーであり、撮影レンズ２の絞りを駆動する絞り駆動部材である。
【００１２】
たとえば図６に示すように、絞り制御レバー４０２は、前方に延在する腕４０２ａと、腕４０２ａの先端の当接部４０２ｂと、下方に延在する腕４０２ｃと、腕４０２ｃの先端に設けられた扇形ギヤ部４０２ｄと、絞り戻しバネ係止部４０２ｅとを備えている。当接部４０２ｂは、カメラボディ１に装着した撮影レンズ２のレンズ側絞りレバー３と当接する。扇形ギヤ部４０２ｄは、ボス４０１ａを中心とした円弧に沿って設けられた扇状のギヤ部分であり、後述する増速ギヤ４４１の入力側（低速側）のギヤと噛合している。
【００１３】
絞り制御レバー４０２は、回動中心の下部近傍に設けられた絞り戻しバネ係止部４０２ｅに絞り戻しバネ４７２の一端が係止されている。絞り制御レバー４０２は、絞り戻しバネ４７２を介して、後述する絞り開放保持レバー４０３と連結され、絞り戻しバネ４７２によってカメラボディ１の左側から見たときに反時計方向（以下、単に反時計方向と呼ぶ）に付勢されている。絞り制御レバー４０２は、後述するように、レリーズ動作が開始されると、撮影レンズ２の絞りを初期位置（絞り開放状態）から制御位置へ変化させる絞り連動手段として機能する。
【００１４】
絞り開放保持レバー４０３は、絞り制御レバー４０２を駆動するレバーであり、基板４０１に設けられたボス４０１ａを中心に回動可能に軸支されている。絞り開放保持レバー４０３は、腕４０３ａと、係止部４０３ｂと、当接部４０３ｃと、絞り戻しバネ係止部４０３ｄと、当接部４０３ｅと、絞り込みバネ係止部４０３ｆとを備えている（図５，６）。腕４０３ａは、前方に向かって延在しており、後述するように、絞り込み時に、絞り制御レバー４０２をカメラボディ１の左側から見たときに時計方向（以下、単に時計方向と呼ぶ）に回動させる。
【００１５】
係止部４０３ｂは、腕４０３ａの先端に設けられて、後述する絞り開放保持レバー係止レバー４０４に係止される部位である（図５）。当接部４０３ｃは、絞り込み時に、絞り制御レバー４０２の腕４０２ａの上端部に当接して腕４０２ａを下方に押圧する部位である。絞り戻しバネ係止部４０３ｄは、腕４０３ａの下方に設けられて、絞り戻しバネ４７２の他端が係止される部位である。
【００１６】
当接部４０３ｅは、後述する絞りブレーキチャージレバー４１１に当接する部位である。絞り込みバネ係止部４０３ｆは、絞り込みバネ４７１の一端が係止される部位である。なお、絞り込みバネ４７１の他端は、基板４０１に係止されている。したがって、絞り開放保持レバー４０３は、絞り込みバネ４７１によって時計方向に付勢されている。しかし、図５に示すように、レリーズ動作開始前には、係止部４０３ｂが絞り開放保持レバー係止レバー４０４に係止されているため、絞り開放保持レバー４０３は、絞り込みバネ４７１の付勢力に抗して、図３〜７に示すような姿勢（回動位相）で停止している。
【００１７】
絞り開放保持レバー係止レバー４０４は、絞り開放保持レバー４０３を係止するレバーであり、基板４０１に植設された軸４０１ｂを中心に回動可能に軸支されている（図５）。絞り開放保持レバー係止レバー４０４は、腕４０４ａ，４０４ｃと、係止部４０４ｂと、当接部４０４ｄと、バネ係止部４０４ｅとを備えている。腕４０４ａは、略上方に向かって延在しており、上端近傍に係止部４０４ｂが設けられている。係止部４０４ｂは、絞り開放保持レバー４０３の係止部４０３ｂの下方から当接してこれを係止する部位であり、絞り開放保持レバー４０３の時計方向への回動を規制している。
【００１８】
腕４０４ｃは、後方斜め下方に向かって延在しており、先端近傍に当接部４０４ｄが設けられている。当接部４０４ｄは、後述する絞りマグネットレバー４０５と当接する部位である。バネ係止部４０４ｅは、絞り開放保持レバー係止レバー４０４の回動中心の前方斜め上側に設けられる部位であり、バネ４７３の一端を係止する。絞り開放保持レバー係止レバー４０４は、バネ４７３を介して、後述する係止リセットレバー４１２と連結され、バネ４７３によって時計方向に付勢されている。
【００１９】
絞りマグネットレバー４０５は、基板４０１に植設された軸４０１ｃを中心に回動可能に軸支されたレバーであり、腕４０５ａ，４０５ｃと、当接部４０５ｂと、可動鉄心係合部４０５ｄと、当接部４０５ｅとを備えている（図５）。腕４０５ａは、絞りマグネットレバー４０５の回動中心から前方斜め上側に向かって延在しており、先端に当接部４０５ｂが設けられている。当接部４０５ｂは、絞り開放保持レバー係止レバー４０４の当接部４０４ｄと当接する部位である。
【００２０】
腕４０５ｃは、絞りマグネットレバー４０５の回動中心から略後方に向かって延在しており、先端近傍に可動鉄心係合部４０５ｄが設けられている。可動鉄心係合部４０５ｄは、後述する絞りマグネット４３４の可動鉄心４３４ａと係合する部位である。当接部４０５ｅは、絞りマグネットレバー４０５の回動中心から略下方に向かって突出する部位であり、後述する絞りマグネットレバー駆動レバー４０６の当接部４０６ｃと前方端部で当接する。なお、当接部４０５ｅの後方端部には、バネ４７４の一端が当接している。
【００２１】
絞りマグネットレバー駆動レバー４０６は、基板４０１に植設された軸４０１ｃを中心に回動可能に軸支されたレバーであり、腕４０６ａと、バネ係止部４０６ｂと、当接部４０６ｃとを備えている（図５）。腕４０６ａは、絞りマグネットレバー駆動レバー４０６の回動中心から略後方に向かって延在している。バネ係止部４０６ｂは、絞りマグネットレバー駆動レバー４０６の回動中心から後方斜め下側に設けられた部位であり、バネ４７５の一端が係止されている。なお、バネ４７５の他端は基板４０１に係止されている。絞りマグネットレバー駆動レバー４０６は、バネ４７５によって時計方向に付勢されている。
【００２２】
当接部４０６ｃは、絞りマグネットレバー駆動レバー４０６の回動中心から略下方に向かって突出する部位であり、絞りマグネットレバー４０５の当接部４０５ｅと後方端部で当接する。なお、当接部４０６ｃの前方端部には、バネ４７４の他端が当接している。
【００２３】
絞りマグネット４３４は、挿入された可動鉄心４３４ａを永久磁石で吸着して保持するとともに、励磁コイルに通電されることによって可動鉄心４３４ａを離脱可能に釈放する公知のコンビネーションマグネットである。絞りマグネット４３４から露出している可動鉄心４３４ａの端部は、絞りマグネットレバー４０５の可動鉄心係合部４０５ｄと係合する。
【００２４】
図７に示すように、絞りブレーキチャージレバー４１１は、基板４０１に設けられたボス４０１ａを中心に回動可能に軸支されたレバーであり、後述する絞りブレーキレバー４２１を回動させる。絞りブレーキチャージレバー４１１は、当接部４１１ａ，４１１ｂを備えている。当接部４１１ａは、絞りブレーキチャージレバー４１１の回動中心から略下方に向かって突出する部位であり、後方端部で絞り開放保持レバー４０３の当接部４０３ｅと当接する。当接部４１１ｂは、絞りブレーキチャージレバー４１１の回動中心から略前方斜め下側に向かって突出する部位であり、絞りブレーキチャージレバー４１１の回動位相に応じて、後述する絞りブレーキレバー４２１に植設されたピン４２２と当接または離間する。
【００２５】
図２，３に示すように、基板４０１の前端には、絞りブレーキレバー取付板４９１が取り付けられている。絞りブレーキレバー取付板４９１は、後述する絞りブレーキレバー４２１を取り付けるための板状部材である。絞りブレーキレバー取付板４９１は、基板４０１に取り付けられた際に、基板４０１の前端で左方向に延在する左方向延在部４９１ａと、左方向延在部の左端から後方へ延在する絞りブレーキレバー取付部４９１ｃとを備えている。左方向延在部４９１ａには、前方に延在する絞り制御レバー４０２の腕４０２ａが挿通される開口４９１ｂが設けられている。
【００２６】
図２，３，８に示すように、絞りブレーキレバー４２１は、絞りブレーキレバー取付板４９１の絞りブレーキレバー取付部４９１ｃに対して軸４９２を中心として回動可能に軸支されたレバーである。絞りブレーキレバー４２１は、バネ係止部４２１ａ，４２１ｂ，４２１ｃが設けられている。バネ係止部４２１ａには、絞りブレーキレバー付勢バネ４７６の一端が係止されている。絞りブレーキレバー付勢バネ４７６の他端は絞りブレーキレバー取付板４９１の絞りブレーキレバー取付部４９１ｃに係止されている。絞りブレーキレバー４２１は、絞りブレーキレバー付勢バネ４７６によって反時計方向に付勢されている。
【００２７】
バネ係止部４２１ｂは、後述する絞りブレーキバネ４２３の他端を下方から係止している。バネ係止部４２１ｃは、絞りブレーキバネ４２３の一端を後方から係止している。絞りブレーキレバー４２１の右側面には、ピン４２２が植設されている（図２，８）。ピン４２２は、上述したように、絞りブレーキチャージレバー４１１の回動位相に応じて、絞りブレーキチャージレバー４１１の当接部４１１ｂと当接または離間する。
【００２８】
絞りブレーキバネ４２３は、上述のように絞りブレーキレバー４２１に取り付けられたバネであり、一端４２３ａが、絞りブレーキレバー４２１のバネ係止部４２１ｃから略下方に向かって延在している。一端４２３ａは、絞りブレーキレバー４２１の回動位相に応じて、後述するエンコーダスリット板４４２のブレーキ軸部４４２ａと当接または離間する。
【００２９】
増速ギヤ４４１は、絞り制御レバー４０２の回転量を拡大するギヤ列である（図２，３，８）。増速ギヤ４４１の入力側（低速側）のギヤは、上述したように絞り制御レバー４０２の扇形ギヤ部４０２ｄと噛合する。増速ギヤ４４１の出力側（高速側）のギヤには、エンコーダスリット板４４２およびラチェットギヤ４４３が取り付けられている。増速ギヤ４４１は、絞り制御レバー４０２の回転量をフォトインタラプタ４４４に伝達する。増速ギヤ４４１の入力側（低速側）のギヤは、基板４０１に植設された軸４０１ｄによって回動可能に軸支される。増速ギヤ４４１の出力側（高速側）のギヤは、基板４０１の左側面に絞りマグネットレバー４０５を避けるように配設される部材（軸基板）４９３の軸４９３ａによって回動可能に軸支される。
【００３０】
エンコーダスリット板４４２にはスリット（小穴）が円周方向に沿って等間隔で複数設けられている。また、エンコーダスリット板４４２には左側面にエンコーダスリット板４４２の回動軸と同軸となるように形成されたブレーキ軸部４４２ａが設けられている（図２，３，８）。フォトインタラプタ４４４は、エンコーダスリット板４４２を挟み込むように設けられている。フォトインタラプタ４４４は、エンコーダスリット板４４２の回転によって検出部の近傍をエンコーダスリット板４４２の小穴が移動すると、この小穴の位置に応じてオンオフ信号（パルス信号）を出力する光学式のセンサである。ラチェットギヤ４４３は、絞り係止レバー４４５の爪（係合部４４５ａ）と係合可能なラチェット部を外周部に有する。
【００３１】
絞り係止レバー４４５は、軸基板４９３の軸４９３ｂに回動可能に支持されたレバーであり、係合部４４５ａと、可動鉄心係合部４４５ｂと、バネ係止部４４５ｃ，４４５ｄ，４４５ｅとを備えている（図２，８）。係合部４４５ａは、ラチェットギヤ４４３のラチェット部に係合する部位であり、絞り係止レバー４４５の回動中心の後方に設けられている。絞り係止レバー４４５が時計方向に回動することで、係合部４４５ａはラチェットギヤ４４３のラチェット部に係合して、ラチェットギヤ４４３の回動を停止させる。
【００３２】
可動鉄心係合部４４５ｂは、後述する絞り制御マグネット４４６の可動鉄心４４６ａと係合する部位であり、絞り係止レバー４４５の回動中心の後方に設けられている。バネ係止部４４５ｃは、バネ４７７の一端が係止される部位であり、絞り係止レバー４４５の回動中心の前方に設けられている。バネ４７７の他端は、基板４０１に係止されている。このバネ４７７によって絞り係止レバー４４５は、時計方向に付勢されている。なお、絞り開放時には、絞り係止レバー４４５の時計方向への回動は、可動鉄心係合部４４５ｂに係合された可動鉄心４４６ａが絞り制御マグネット４４６に吸着保持されることによって規制されている。
【００３３】
バネ係止部４４５ｄ，４４５ｅは、バネ４７８の一端および他端を係止する部位である。バネ係止部４４５ｄは、バネ４７８の付勢力に抗してバネ４７８の一端を前方から係止している。なお、バネ４７８の一端は、バネ係止部４４５ｄから上方に向かって突出している。バネ係止４４５ｅは、バネ４７８の付勢力に抗してバネ４７８の他端を前方から係止している。
【００３４】
絞り制御マグネット４４６は、挿入された可動鉄心４４６ａを永久磁石で吸着して保持するとともに、励磁コイルに通電されることによって可動鉄心４４６ａを離脱可能に釈放する公知のコンビネーションマグネットである。絞り制御マグネット４４６から露出している可動鉄心４４６ａの端部は、絞り係止レバー４４５の可動鉄心係合部４４５ｂと係合する。
【００３５】
上述した各構成要素の他にも、絞り機構４００は、メインミラー３２１をミラーアップさせるための不図示のミラーアップレバーや、ミラーアップマグネット、レリーズ後のリセット（チャージ動作）を行うためのチャージレバー４０７、チャージリンク板４０８、チャージリンクレバー４０９、係止リセットレバー４１２を備えている（図２，３，１８）。なお、図１８〜２２は、後述するリセット動作の途中段階における絞り駆動機構を示す図であり、説明のために一部の部材を太線で強調して表示している。
【００３６】
チャージレバー４０７は、リセット時に回動されるレバーであり、基板４０１のボス４０１ａを中心に回動可能に軸支されている（図２）。チャージレバー４０７は、腕４０７ａ，４０７ｂと、ボス４０７ｃを有する（図１８）。腕４０７ａは、後述するように、リセット時に絞り開放保持レバー４０３の腕４０３ａの下端と先端部分で当接して絞り開放保持レバー４０３を反時計方向に回動させる。腕４０７ａの左側側面には、ボス４０７ｃが設けられている。ボス４０７ｃは、リセット時に係止リセットレバー４１２の腕４１２ａと当接して、係止リセットレバー４１２を時計方向に回動させる（図１８）。腕４０７ｂは、次に述べるチャージリンク板４０８の上端に対して回動可能に軸支されている。
【００３７】
チャージリンク板４０８は、不図示のシーケンスモータによるチャージ力をチャージレバー４０７などに伝達するための板状の部材である。チャージリンク板４０８は、上述したように上端がチャージレバー４０７の腕４０７ｂに対して回動可能に軸支され、下端が次に述べるチャージリンクレバー４０９の一端に対して回動可能に軸支されている。チャージリンク板４０８の下端には、チャージローラ４８２が取り付けられている。チャージローラ４８２は、不図示のシーケンスモータによるチャージ力が入力されるローラであり、リセット時にシーケンスモータのチャージ力によって下方に押圧される。チャージリンク板４０８の左側側面には、ボス４０８ａが設けられている。ボス４０８ａは、後述するように、リセット時に絞りマグネットレバー駆動レバー４０６の腕４０６ａと当接して、絞りマグネットレバー駆動レバー４０６を反時計方向に回動させる。
【００３８】
チャージリンクレバー４０９は、チャージリンク板４０８の下端の動きを規制するレバーであり、一端がチャージリンク板４０８の下端に回動可能に軸支され、他端が基板４０１に設けられた軸４０１ｅを中心に回動可能に軸支されている（図２，３，１８）。なお、基板４０１と、チャージレバー４０７と、チャージリンク板４０８と、チャージリンクレバー４０９とによって、４節リンク機構が構成されている。チャージリンクレバー４０９は、バネ４４９によって時計方向に付勢されている（図２，２６）。なお、図２６〜３０は、後述するリセット完了後の絞り駆動機構を示す図であり、説明のために一部の部材を太線で強調して表示している。
【００３９】
係止リセットレバー４１２は、基板４０１に植設された軸４０１ｂを中心に回動可能に軸支されている（図１８）。係止リセットレバー４１２は、リセット時に回動されるチャージレバー４０７のボス４０７ｃと当接する腕４１２ａと、バネ４７３の他端を係止するバネ係止部４１２ｂとを備えている。なお、バネ係止部４１２ｂは、リセット時にバネ４７８（図８，１４）の一端に当接してこれを後方に押圧する。
【００４０】
−−−撮影時の動作説明−−−
本実施の形態の絞り制御装置を備えたカメラで撮影する際の各部の動作について説明する。撮影開始前（レリーズ開始前）、撮影レンズ２の絞りは開放状態であり、メインミラー３２１は、ミラーダウン位置となっている。絞り機構４００の各部は、図３〜８に示す状態となっている。
【００４１】
撮影開始前、すなわち絞り開放状態では、図４，６に示すように、絞り制御レバー４０２が反時計方向に回動されて停止している。絞り制御レバー４０２には、絞り戻しバネ４７２によって反時計方向への付勢力が与えられている。カメラボディ１に撮影レンズ２が装着されている場合には、絞り制御レバー４０２の当接部４０２ｂがレンズ側絞りレバー３と当接するので、絞り制御レバー４０２は、カメラボディ１に撮影レンズ２が装着されていない場合と比べて僅かに時計方向に回動された状態で停止する。
【００４２】
絞り開放保持レバー４０３は、係止部４０３ｂが絞り開放保持レバー係止レバー４０４の係止部４０４ｂで係止されており、絞り込みバネ４７１の付勢力に抗して、図３〜７に示すような姿勢（回動位相）で停止している。絞り開放保持レバー４０３の当接部４０３ｃは、絞り制御レバー４０２の腕４０２ａの上端部と離間している。絞りマグネットレバー４０５は、絞りマグネット４３４が可動鉄心４３４ａを吸着保持することによって反時計方向に回動された状態で保持され、当接部４０５ｂが絞り開放保持レバー係止レバー４０４の当接部４０４ｄと僅かに離間した状態となっている（図５）。
【００４３】
絞りマグネットレバー駆動レバー４０６は、当接部４０６ｃが絞りマグネットレバー４０５の当接部４０５ｅと当接することで時計方向への回動が規制されて、バネ４７５の付勢力に抗して停止している。
【００４４】
絞りブレーキチャージレバー４１１は、当接部４１１ａが絞り開放保持レバー４０３の当接部４０３ｅによって前方に向かって押圧されているため、反時計方向に回動した状態で停止している（図７）。絞り開放状態では、絞りブレーキチャージレバー４１１の当接部４１１ｂは、絞りブレーキレバー４２１に植設されたピン４２２と当接してこれを前方斜め上方向に押圧する。これにより、絞りブレーキレバー４２１は、時計方向に回動し、絞りブレーキバネ４２３の一端４２３ａをエンコーダスリット板４４２のブレーキ軸部４４２ａに当接させる（図８）。
【００４５】
なお、絞り開放状態では、絞りブレーキバネ４２３の一端４２３ａは、絞りブレーキレバー４２１のバネ係止部４２１ｃから離間している。したがって、エンコーダスリット板４４２のブレーキ軸部４４２ａには、ブレーキ軸部４４２ａのラジアル方向から絞りブレーキバネ４２３の一端４２３ａが絞りブレーキバネ４２３の付勢力によって押しつけられている。すなわち、絞りブレーキレバー４２１は、絞りブレーキバネ４２３の一端４２３ａをエンコーダスリット板４４２のブレーキ軸部４４２ａに当接させた後、さらに時計方向に回動された回動位置で停止している。
【００４６】
絞り制御マグネット４４６は可動鉄心４４６ａを吸着して保持している。これにより、絞り係止レバー４４５は、上述したように、バネ４７７の付勢力に抗して、反時計方向に回動された状態で停止している。そのため、絞り係止レバー４４５の係合部４４５ａは、ラチェットギヤ４４３のラチェット部から離間している。
【００４７】
−−−レリーズ時−−−
レリーズ時の動作について図９〜１５を参照して説明する。なお、図９〜１４は、撮影レンズ２の絞りを絞り込んだ状態（絞り込み状態）の図である。図９は、絞り機構４００の主要な構成要素の斜視図であり、絞り駆動機構と絞り値検出・設定機構を分離した図である。図１０は、絞り機構４００の主要な構成要素をカメラボディ１の左側から見た図であり、図１０（ａ）は絞り駆動機構を示し、図１０（ｂ）は絞り値検出・設定機構を示す。
【００４８】
図１１〜１４は、説明のために絞り機構４００を構成する部材の一部を太線で強調して表示した図である。なお、図１１〜１３は、絞り駆動機構についての図であり、図１４は、絞り値検出・設定機構についての図である。図１５は、絞り込み開始時の絞りブレーキレバー４２１および絞りブレーキバネ４２３の動きを説明する図である。
【００４９】
レリーズボタン４が押圧されると、不図示のレリーズスイッチからレリーズ信号が制御回路１０１へ出力される。制御回路１０１は、レリーズ信号が入力されると、所定時間だけ不図示のミラーアップマグネットを励磁する。これにより、ミラーアップマグネットの可動鉄心が釈放される。詳細な説明は省略するが、ミラーアップマグネットの可動鉄心が釈放されると、不図示のミラーアップレバーが不図示のミラーアップバネの付勢力によって回動することで、メインミラー３２１をミラーアップさせる。
【００５０】
また、制御回路１０１は、レリーズ信号が入力されると、可動鉄心４３４ａの釈放に必要な所定時間だけ絞りマグネット４３４を励磁する。これにより、可動鉄心４３４ａが釈放され、バネ４７５の付勢力により絞りマグネットレバー駆動レバー４０６および絞りマグネットレバー４０５が時計方向に一体的に回動する（図５，１１）。絞りマグネットレバー４０５が時計方向に回動されると、当接部４０５ｂが絞り開放保持レバー係止レバー４０４の当接部４０４ｄを前方斜め下方に押圧して、絞り開放保持レバー係止レバー４０４を反時計方向に回動させる。
【００５１】
絞り開放保持レバー係止レバー４０４が反時計方向に回動されると、係止部４０４ｂと絞り開放保持レバー４０３の係止部４０３ｂとの係合が解除される。これにより、絞り開放保持レバー４０３は、絞り込みバネ４７１の付勢力によって時計方向への回動を開始する。
【００５２】
絞り開放保持レバー４０３が時計方向へ回動すると、当接部４０３ｅも時計方向に回動して絞りブレーキチャージレバー４１１の当接部４１１ａから離間する（図１３）。これにより、絞りブレーキチャージレバー４１１が時計方向へ回動可能となるため、絞りブレーキレバー４２１は、絞りブレーキレバー付勢バネ４７６の付勢力によって反時計方向に回動する（図１４，１５）。その際、絞りブレーキレバー付勢バネ４７６が図１５の矢印Ａのようにバネ係止部４２１ｃを後方に押圧するので、絞りブレーキレバー４２１は、矢印Ｂ，Ｃのように軸４９２を中心として反時計方向に回動する。
【００５３】
絞りブレーキレバー４２１が反時計方向に回動を開始すると、離間していた絞りブレーキバネ４２３の一端４２３ａとバネ係止部４２１ｃとが当接するまで、絞りブレーキバネ４２３の一端４２３ａは、エンコーダスリット板４４２のブレーキ軸部４４２ａと当接したままとなる。この間、絞りブレーキレバー４２１の反時計方向への回動に伴い、絞りブレーキバネ４２３の一端４２３ａは、ブレーキ軸部４４２ａに当接したまま、矢印Ｄに示すように下方に向かって移動する。そのため、エンコーダスリット板４４２のブレーキ軸部４４２ａは、矢印Ｆのように時計方向へ回動するように力が加えられる。なお、絞り込み時のエンコーダスリット板４４２の回動方向は図１５に示すように反時計方向である。
【００５４】
したがって、絞り込み時のエンコーダスリット板４４２は、矢印Ｄで示すように移動する絞りブレーキバネ４２３の一端４２３ａによって、絞り込み時の回動方向とは反対の方向（矢印Ｆ）に力が加えられる。噛合する絞り制御レバー４０２の扇形ギヤ部４０２ｄと増速ギヤ４４１とのバックラッシ、および、増速ギヤ４１１間のバックラッシに起因して、エンコーダスリット板４４２には回転方向の遊び（がた）が生じる。しかし、上述のように絞りブレーキバネ４２３の一端４２３ａから力が加えられることで、エンコーダスリット板４４２は、絞り制御レバー４０２が絞り込み方向に回動された際に、上述した遊びの影響を受けずに、すなわち、絞り制御レバー４０２の絞り込み方向への回動に遅れることなく回動する。これにより、噛合する各ギヤのバックラッシに起因する絞り制御レバー４０２の絞り込み量検出誤差を低減できる。
【００５５】
絞りブレーキレバー４２１が反時計方向へさらに回動すると、絞りブレーキバネ４２３の一端４２３ａがバネ係止部４２１ｃと当接する。その後、絞りブレーキレバー４２１の反時計方向への回動に伴い、絞りブレーキバネ４２３の一端４２３ａは、矢印Ｅに示すようにブレーキ軸部４４２ａから離間する。これにより、エンコーダスリット板４４２は、絞りブレーキバネ４２３の一端４２３ａの影響を受けずに回動可能となる。なお、絞り開放保持レバー４０３の時計方向への回動が、後述する絞り制御レバー４０２の時計方向への回動に先だって開始され、絞りブレーキレバー付勢バネ４７６の付勢力により絞りブレーキレバー４２１を反時計方向に迅速に回動させるため、絞り制御レバー４０２の時計方向への回動開始直前に上述したエンコーダスリット板４４２の制動が解除される。
【００５６】
また、絞り開放保持レバー４０３が時計方向へ回動すると、絞り制御レバー４０２の腕４０２ａと離間していた当接部４０３ｃが腕４０２ａの上端部に当接して腕４０２ａを下方に押圧する（図６，１２）。これより、絞り制御レバー４０２が時計方向すなわち絞り込み方向へ回動して当接部４０２ｂが下方に移動するので、撮影レンズ２の絞りが絞り込まれる。
【００５７】
このように、絞り制御レバー４０２が撮影レンズ２の絞りが絞り込まれるように回動すると、上述したように、絞り制御レバー４０２の回動量がフォトインタラプタ４４４から出力されるパルス信号の数（パルス数）として検出される。なお、上述したように、各ギヤのバックラッシに起因する絞り制御レバー４０２の絞り込み量検出誤差が低減されるので、絞り制御レバー４０２の絞り込み量が正確に検出できる。また、上述したように、エンコーダスリット板４４２の回動開始前にエンコーダスリット板４４２の制動が解除されるので、エンコーダスリット板４４２の回動が阻害されない。
【００５８】
制御回路１０１は、不図示の測光ユニットで検出された被写体の明るさに基づいて公知の測光演算を行い、制御絞り値（制御値）を演算する。制御回路１０１は、フォトインタラプタ４４４から出力されるパルス信号のパルス数が、所定のパルス数に達したと判断すると、可動鉄心４４６ａの釈放に必要な所定時間だけ絞り制御マグネット４４６を励磁する。これにより、可動鉄心４４６ａが釈放され、バネ４７７の付勢力により絞り係止レバー４４５が時計方向に回動して係合部４４５ａをラチェットギヤ４４３のラチェット部に係合させて、ラチェットギヤ４４３の回動を停止させる（図１４）。その結果、絞り制御レバー４０２、およびレンズ側絞りレバー３が停止されて、撮影レンズ２の絞りが所望の値とされる。すなわち、撮影レンズ２の絞りは、撮影レンズ２の絞りを制御値に設定する制御位置で停止される。
【００５９】
上述したように、撮影レンズ２の絞りが所望の値とされた後、周知の装置により不図示のシャッタが作動して撮影動作が行われ、被写体像がＣＣＤ５で撮像されると、引き続き各部のリセット動作が行われる。
【００６０】
−−−リセット動作時−−−
リセット時の動作について図１６〜２３を参照して説明する。なお、図１６〜２３は、リセット動作の途中であって、後述するチャージリンク板４０８の下方への引き下げ量が最も引き下げられたときの半分程度状態（チャージ中間状態）の図である。図１６は、絞り機構４００の主要な構成要素の斜視図であり、絞り駆動機構と絞り値検出・設定機構を分離した図である。図１７は、絞り機構４００の主要な構成要素をカメラボディ１の左側から見た図であり、図１７（ａ）は絞り駆動機構を示し、図１７（ｂ）は絞り値検出・設定機構を示す。
【００６１】
図１８〜２３は、説明のために絞り機構４００を構成する部材の一部を太線で強調して表示した図である。なお、図１８〜２２は、上述したように絞り駆動機構についての図であり、図２３は、絞り値検出・設定機構についての図である。リセット動作では、制御回路１０１は、不図示のシーケンスモータの駆動を開始させる。シーケンスモータが駆動されると、シーケンスモータのチャージ力によってチャージローラ４８２が下方に押圧される。これにより、チャージリンク板４０８が下方に引き下げられ、チャージレバー４０７が反時計方向に回動される（図１８参照）。
【００６２】
チャージレバー４０７が反時計方向に回動されると、ボス４０７ｃが係止リセットレバー４１２の腕４１２ａと当接して係止リセットレバー４１２を時計方向に回動させる。これにより、係止リセットレバー４１２のバネ係止部４１２ｂがバネ４７８の一端に当接してこれを後方に押圧することで、絞り係止レバー４４５を反時計方向に回動させる（図２３）。これにより、絞り係止レバー４４５の係合部４４５ａとラチェットギヤ４４３のラチェット部との係合が解除される。また、絞り係止レバー４４５の反時計方向への回動によって、可動鉄心４４６ａが絞り制御マグネット４４６に再び吸着されて保持される。
【００６３】
また、チャージレバー４０７が反時計方向に回動されると、腕４０７ａの先端が絞り開放保持レバー４０３の腕４０３ａの下端と当接して、絞り込みバネ４７１の付勢力に抗して絞り開放保持レバー４０３を反時計方向に回動させる（図２０）。
【００６４】
開放保持レバー４０３が反時計方向に回動されると、絞り戻しバネ４７２を介して連結された絞り制御レバー４０２も反時計方向に回動される（図２１）。なお、絞り制御レバー４０２は、扇形ギヤ部４０２ｄで噛合している増速ギヤ４４１の慣性モーメント（イナーシャ）の影響を受けるため、開放保持レバー４０３の回動に遅れて回動する。絞り制御レバー４０２の反時計方向への回動により、当接部４０２ｂが上方に移動するので、撮影レンズ２の絞りが開放方向に駆動される。また、絞り制御レバー４０２の反時計方向への回動によって、増速ギヤ４４１、エンコーダスリット板４４２、およびラチェットギヤ４４３も回動される。なお、上述したように、絞りブレーキバネ４２３の一端４２３ａがブレーキ軸部４４２ａから離間しているので、増速ギヤ４４１、エンコーダスリット板４４２、およびラチェットギヤ４４３は、絞りブレーキバネ４２３の一端４２３ａの影響を受けずに回動を開始する（図１４，１５，２３）。
【００６５】
また、開放保持レバー４０３が反時計方向に回動されると、当接部４０３ｅが絞りブレーキチャージレバー４１１の当接部４１１ａと当接して、絞りブレーキチャージレバー４１１を反時計方向に回動させる。なお、チャージ中間状態では、当接部４１１ｂが絞りブレーキレバー４２１に植設されたピン４２２と離間しているので、絞りブレーキレバー４２１は反時計方向に回動されたままで停止している。
【００６６】
上述したチャージ中間状態よりもさらにリセット動作が進行して、チャージリンク板４０８が最も下方に引き下げられたときの絞り機構４００の状態を図２４〜３１を参照して説明する。なお、図２４は、チャージリンク板４０８が最も下方に引き下げられたとき（チャージ完了状態）の、絞り機構４００の主要な構成要素の斜視図であり、絞り駆動機構と絞り値検出・設定機構を分離した図である。図２５は、チャージ完了状態における、絞り機構４００の主要な構成要素をカメラボディ１の左側から見た図であり、図２５（ａ）は絞り駆動機構を示し、図２５（ｂ）は絞り値検出・設定機構を示す。
【００６７】
図２６〜３１は、説明のために絞り機構４００を構成する部材の一部を太線で強調して表示した図である。なお、図２６〜３０は、絞り駆動機構についての図であり、図３１は、絞り値検出・設定機構についての図である。上述したチャージ中間状態よりもさらにチャージリンク板４０８が下方に引き下げられると、図２７に示すように、チャージリンク板４０８のボス４０８ａが絞りマグネットレバー駆動レバー４０６の腕４０６ａと当接して、絞りマグネットレバー駆動レバー４０６を反時計方向に回動させる。
【００６８】
絞りマグネットレバー駆動レバー４０６が反時計方向に回動されると、バネ４７４を介して連結された絞りマグネットレバー４０５も反時計方向に回動されて、可動鉄心４３４ａが絞りマグネット４３４に再び吸着されて保持される。これにより、絞りマグネット４３４および絞りマグネットレバー４０５が撮影開始前の状態に復帰する。なお、絞りマグネットレバー４０５が撮影開始前の状態に復帰後も絞りマグネットレバー駆動レバー４０６の反時計方向への回動が継続されるため、絞りマグネットレバー４０５と絞りマグネットレバー駆動レバー４０６の回動量に差が生じるが、この回動量の差（オーバーチャージ分の回動量に相当）は、バネ４７４の撓みによって吸収される。なお、この後に、チャージリンク板４０８が撮影開始前の状態に復帰すると、バネ４７４の付勢力で絞りマグネットレバー駆動レバー４０６が時計方向に回動され、当接部４０６ｃが絞りマグネットレバー４０５の当接部４０５ｅと後方端部で当接して停止する。
【００６９】
上述したチャージ中間状態よりもさらにチャージリンク板４０８が下方に引き下げられると、チャージレバー４０７がさらに反時計方向に回動されて、絞り開放保持レバー４０３が反時計方向にさらに回動される（図２６，２７）。絞り開放保持レバー４０３の係止部４０３ｂが絞り開放保持レバー係止レバー４０４の係止部４０４ｂよりも上方に移動すると、絞り開放保持レバー係止レバー４０４がさらに時計方向に回動して、係止部４０４ｂが絞り開放保持レバー４０３の係止部４０３ｂの下方に移動する（図２８）。これにより、絞り開放保持レバー係止レバー４０４が撮影開始前の状態に復帰する。
【００７０】
なお、この後に、チャージリンク板４０８が撮影開始前の状態に復帰すると、チャージレバー４０７および絞り開放保持レバー４０３が時計方向に回動して撮影開始前の状態に戻る（図５）。このとき、係止部４０３ｂが絞り開放保持レバー係止レバー４０４の係止部４０４ｂに係止されて、絞り開放保持レバー４０３が撮影開始前の状態に復帰する。
【００７１】
絞り開放保持レバー４０３の反時計方向の回動の進行により、絞り制御レバー４０２および絞りブレーキチャージレバー４１１も反時計方向へさらに回動する（図２９，３０）。上述したチャージ中間状態よりもさらに絞りブレーキチャージレバー４１１が反時計方向へ回動すると、当接部４１１ｂが絞りブレーキレバー４２１のピン４２２と当接して絞りブレーキレバー４２１を時計方向に回動させる。これにより、絞りブレーキバネ４２３の一端４２３ａがエンコーダスリット板４４２のブレーキ軸部４４２ａと当接して、エンコーダスリット板４４２を制動する（図３１）。
【００７２】
絞りブレーキバネ４２３の一端４２３ａがエンコーダスリット板４４２のブレーキ軸部４４２ａと当接して制動を開始するのは、上述したチャージ中間状態よりもさらにリセット動作が進行して、リセット動作の終了時期に近づいてからである。なお、上述したように、絞り制御レバー４０２は、扇形ギヤ部４０２ｄで噛合している増速ギヤ４４１のイナーシャの影響を受けて、開放保持レバー４０３の回動に遅れて回動するため、エンコーダスリット板４４２の制動が開始されるのは絞り制御レバー４０２が絞り開放位置に復帰する直前となる。
【００７３】
このように、絞り制御レバー４０２が絞り開放位置に復帰する直前からエンコーダスリット板４４２の制動（すなわち増速ギヤ４４１の制動）が開始されるので、絞り制御レバー４０２が絞り開放位置で停止する際に、増速ギヤ４４１のイナーシャによって増速ギヤ４４１や絞り制御レバー４０２がすぐには停止せずに振動してしまうような現象（バウンド）を抑制できる。なお、上述したように、レリーズ動作の開始直後（絞り制御レバー４０２の絞り込み方向への回動開始直前）までエンコーダスリット板４４２が制動され続けるため、連写時にも上述したバウンドを確実に抑制できる。
【００７４】
上記のように各部のリセットが行われた後、チャージローラ４８２が下方に押圧されなくなると、バネ４４９の付勢力によってチャージリンク板４０８が上方に移動され、チャージレバー４０７が時計方向に回動されて、絞り機構４００のリセット動作が終了し、レリーズ開始前の状態に復帰する。
【００７５】
なお、リセット動作時にメインミラー３２１がミラーダウンされるが、その動作については説明を省略する。
【００７６】
本実施の形態の絞り制御装置およびカメラでは次の作用効果を奏する。
（１）  リセット時に、絞りブレーキバネ４２３の一端４２３ａをエンコーダスリット板４４２のブレーキ軸部４４２ａに当接させて、エンコーダスリット板４４２を制動するように構成した。これにより、絞り制御レバー４０２が絞り開放位置で停止する際の、増速ギヤ４４１や絞り制御レバー４０２のバウンドを抑制できるので、撮影のコマ速を上げることができる。また、レリーズ動作の開始直後までエンコーダスリット板４４２が制動され続けるように構成したので、上述したバウンドを確実に抑制して連写時の撮影レンズ２の絞りの制御精度を向上できる。
【００７７】
（２）  絞り制御レバー４０２の時計方向への回動開始直前に上述したエンコーダスリット板４４２の制動が解除されるように構成した。これにより、絞り込み動作時の絞り制御レバー４０２の回動が阻害されないので、絞り込み動作に悪影響を与えず、絞り込み動作の効率を下げることがない。
【００７８】
（３）  絞り制御レバー４０２が絞り開放位置に復帰する直前で、エンコーダスリット板４４２の制動が開始されるように構成した。これにより、絞り込み動作およびリセット動作の効率を下げることなく、上述したバウンドを防止して、撮影のコマ速を上げることができる。
【００７９】
（４）  エンコーダスリット板４４２のブレーキ軸部４４２ａに対して絞りブレーキバネ４２３の一端４２３ａで負荷を加えることでエンコーダスリット板４４２、すなわち増速ギヤ４４１を制動するように構成した。これにより、簡単な機器構成で制動力を得ることができる。また、増速ギヤ４４１の出力側（高速側）のギヤに取り付けられたエンコーダスリット板４４２を制動するように構成したので、効果的に増速ギヤ４４１を制動できる。
【００８０】
（５）  エンコーダスリット板４４２のブレーキ軸部４４２ａに対して、ブレーキ軸部４４２ａのラジアル方向から絞りブレーキバネ４２３の一端４２３ａで負荷を加えるように構成した。これにより、簡単な機器構成で効果的に増速ギヤ４４１を制動できる。
【００８１】
（６）  エンコーダスリット板４４２のブレーキ軸部４４２ａの制動を解除する際に、絞り込み時のエンコーダスリット板４４２の回動方向とは反対の方向に絞りブレーキバネ４２３の一端４２３ａがエンコーダスリット板４４２を回転させるように構成した。これにより、噛合する各ギヤのバックラッシに起因する絞り制御レバー４０２の絞り込み量検出誤差を低減できるので、撮影レンズ２の絞りの制御精度を向上できる。
【００８２】
（７）  不図示のシーケンスモータの駆動力を利用して絞りブレーキレバー４２１を時計方向に回動させて、絞りブレーキレバー付勢バネ４７６をチャージするように構成した。これにより、大幅に部品点数を増やすことなく絞りブレーキレバー４２１をリセットできる。また、絞りブレーキレバー付勢バネ４７６を利用して絞りブレーキレバー４２１を反時計方向に回動させることで、エンコーダスリット板４４２の制動を解除するように構成した。これにより、迅速にエンコーダスリット板４４２の制動を解除できるので、絞り込み動作時のエンコーダスリット板４４２の回動開始時にエンコーダスリット板４４２の回動を阻害せず、絞り込み動作に悪影響を与えない。
【００８３】
−−−変形例−−−
（１）  上述の説明では、増速ギヤ４４１の出力側（高速側）のギヤに取り付けられたエンコーダスリット板４４２を制動するように構成したが、本発明はこれに限定されない。たとえば、増速ギヤ４４１の出力側のギヤではない、他のギヤを制動するように構成してもよい。なお、増速ギヤ４４１の制動効果は、出力側のギヤを制動した場合が最も高い。
【００８４】
（２）  上述の説明では、ブレーキ軸部４４２ａのラジアル方向から絞りブレーキバネ４２３の一端４２３ａで負荷を加えるように構成したが、本発明はこれに限定されない。たとえば、エンコーダスリット板４４２やラチェットギヤ４４３の外周にラジアル方向から荷を加えることで制動力を与えるように構成してもよく、エンコーダスリット板４４２やラチェットギヤ４４３に対してスラスト方向から負荷を加えることで制動力を与えるように構成してもよい。
【００８５】
（３）  上述の説明では、エンコーダスリット板４４２の制動が開始されるのが、絞り制御レバー４０２が絞り開放位置に復帰する直前となるように構成したが、本発明はこれに限定されない。エンコーダスリット板４４２の制動が開始されるタイミングが多少早まってもよい。
【００８６】
（４）  上述の説明では、撮像素子としてＣＣＤイメージセンサ（ＣＣＤ５）を用いているが、ＣＭＯＳイメージセンサなど他の種類の撮像素子であってもよい。また、上述の説明では、撮像素子によって被写体像の撮像を行う電子カメラであるが、フィルムを用いる銀塩カメラに本発明を適用してもよい。
（５）  上述した各実施の形態および変形例は、それぞれ組み合わせてもよい。
【００８７】
なお、本発明は、上述した実施の形態のものに何ら限定されず、レリーズ動作が開始されると、レンズ絞りを初期値に設定する初期位置からレンズ絞りを制御値に設定する制御位置へ変化させる絞り連動手段と、絞り連動手段を制御位置で停止させる絞り停止手段と、絞り連動手段を初期位置に復帰させる絞り復帰手段と、絞り復帰手段により絞り連動手段を初期位置に復帰させる過程において、復帰動作開始後、初期位置へ復帰する直前から絞り連動手段の復帰動作に制限を加え、レリーズ動作の開始後に制限を解除する制限手段とを備える各種構造のカメラの絞り制御装置および、この絞り制御装置を備えた各種構造のカメラを含むものである。
【図面の簡単な説明】
【００８８】
【図１】本発明による絞り制御装置を適用した電子カメラである、一眼レフタイプのカメラボディ１と、カメラボディ１に装着する撮影レンズ２を示した斜視図である。
【図２】カメラボディ１に組み込まれる絞り機構４００の主要な構成要素のみを示す分解図であり、レリーズ動作開始前の状態（絞り開放状態）を示している。
【図３】絞り開放状態における、絞り機構４００の主要な構成要素の斜視図であり、絞り駆動機構と絞り値検出・設定機構を分離した図である。
【図４】絞り開放状態における、絞り機構４００の主要な構成要素をカメラボディ１の左側から見た図である。
【図５】説明のために絞り機構４００を構成する部材の一部を太線で強調して表示した図である。
【図６】説明のために絞り機構４００を構成する部材の一部を太線で強調して表示した図である。
【図７】説明のために絞り機構４００を構成する部材の一部を太線で強調して表示した図である。
【図８】説明のために絞り機構４００を構成する部材の一部を太線で強調して表示した図である。
【図９】撮影レンズ２の絞りを絞り込んだ状態（絞り込み状態）における、絞り機構４００の主要な構成要素の斜視図であり、絞り駆動機構と絞り値検出・設定機構を分離した図である。
【図１０】絞り込み状態における、絞り機構４００の主要な構成要素をカメラボディ１の左側から見た図である。
【図１１】説明のために絞り機構４００を構成する部材の一部を太線で強調して表示した図である。
【図１２】説明のために絞り機構４００を構成する部材の一部を太線で強調して表示した図である。
【図１３】説明のために絞り機構４００を構成する部材の一部を太線で強調して表示した図である。
【図１４】説明のために絞り機構４００を構成する部材の一部を太線で強調して表示した図である。
【図１５】絞り込み開始時の絞りブレーキレバー４２１の動きを説明する図である。
【図１６】リセット動作の途中（チャージ中間状態）における、絞り機構４００の主要な構成要素の斜視図であり、絞り駆動機構と絞り値検出・設定機構を分離した図である。
【図１７】チャージ中間状態における、絞り機構４００の主要な構成要素をカメラボディ１の左側から見た図である。
【図１８】説明のために絞り機構４００を構成する部材の一部を太線で強調して表示した図である。
【図１９】説明のために絞り機構４００を構成する部材の一部を太線で強調して表示した図である。
【図２０】説明のために絞り機構４００を構成する部材の一部を太線で強調して表示した図である。
【図２１】説明のために絞り機構４００を構成する部材の一部を太線で強調して表示した図である。
【図２２】説明のために絞り機構４００を構成する部材の一部を太線で強調して表示した図である。
【図２３】説明のために絞り機構４００を構成する部材の一部を太線で強調して表示した図である。
【図２４】チャージリンク板４０８が最も下方に引き下げられたとき（チャージ完了状態）の、絞り機構４００の主要な構成要素の斜視図であり、絞り駆動機構と絞り値検出・設定機構を分離した図である。
【図２５】チャージ完了状態における、絞り機構４００の主要な構成要素をカメラボディ１の左側から見た図である。
【図２６】説明のために絞り機構４００を構成する部材の一部を太線で強調して表示した図である。
【図２７】説明のために絞り機構４００を構成する部材の一部を太線で強調して表示した図である。
【図２８】説明のために絞り機構４００を構成する部材の一部を太線で強調して表示した図である。
【図２９】説明のために絞り機構４００を構成する部材の一部を太線で強調して表示した図である。
【図３０】説明のために絞り機構４００を構成する部材の一部を太線で強調して表示した図である。
【図３１】説明のために絞り機構４００を構成する部材の一部を太線で強調して表示した図である。
【符号の説明】
【００８９】
１  カメラボディ                          ２  撮影レンズ
３  レンズ側絞りレバー                    ５  ＣＣＤ
１０１  制御回路                          ３２１  メインミラー
４００  絞り機構                          ４０１  基板
４０２  絞り制御レバー                    ４０３  絞り開放保持レバー
４０４  絞り開放保持レバー係止レバー      ４０７  チャージレバー
４０８  チャージリンク板                  ４１１  絞りブレーキチャージレバー
４２１  絞りブレーキレバー                ４２３  絞りブレーキバネ
４４１  増速ギヤ                          ４４２  エンコーダスリット板
【図１】
2009198861.tif 000003
【図２】
2009198861.tif 000004
【図３】
2009198861.tif 000005
【図４】
2009198861.tif 000006
【図５】
2009198861.tif 000007
【図６】
2009198861.tif 000008
【図７】
2009198861.tif 000009
【図８】
2009198861.tif 000010
【図９】
2009198861.tif 000011
【図１０】
2009198861.tif 000012
【図１１】
2009198861.tif 000013
【図１２】
2009198861.tif 000014
【図１３】
2009198861.tif 000015
【図１４】
2009198861.tif 000016
【図１５】
2009198861.tif 000017
【図１６】
2009198861.tif 000018
【図１７】
2009198861.tif 000019
【図１８】
2009198861.tif 000020
【図１９】
2009198861.tif 000021
【図２０】
2009198861.tif 000022
【図２１】
2009198861.tif 000023
【図２２】
2009198861.tif 000024
【図２３】
2009198861.tif 000025
【図２４】
2009198861.tif 000026
【図２５】
2009198861.tif 000027
【図２６】
2009198861.tif 000028
【図２７】
2009198861.tif 000029
【図２８】
2009198861.tif 000030
【図２９】
2009198861.tif 000031
【図３０】
2009198861.tif 000032
【図３１】
2009198861.tif 000033